(57)【特許請求の範囲】
【請求項１】
着信音を構成する着信音データを格納する記憶手段と、
所定の音域にわたって音階ごとに１つずつ対応付けられた複数のキーと、
これらのキーのうち所望の音階に対応するキーを所定時間以上押下すると作成中の着信音データが前記記憶手段に未格納の時にはその音階の１オクターブ単位で異なる複数の周波数のうちの初期設定用に予め定められたオクターブの周波数を選択し、作成中の着信音データが前記記憶手段に少なくとも一部格納されているときにはこれら格納されている着信音データを構成する各音の周波数のうちの直前に前記記憶手段に記憶されている音と同一オクターブに属する周波数帯域でその音階の周波数を選択し、前記所望の音階に対応するキーが前記所定時間未満押下された場合には選択されたキーに対応する音階でそのキーが前記所定時間以上押下された場合に選択される周波数と１オクターブ単位で異なる複数の周波数を予め定めた順序で前記所定時間未満押下されるたびに１つずつサイクリックに選択する周波数選択手段と、
この周波数選択手段によって選択された周波数が所望の周波数であるときこれを確定させる周波数確定手段と、
この周波数確定手段によって順次確定させた周波数とそれに対するキーの押下された時間に対応する時間を表わした着信音データを前記記憶手段に格納する着信音データ格納手段と、
前記周波数選択手段がキーを前記所定時間以上押下するたびにその選択する周波数の音をその押下に対応する時間だけ出力する音出力手段
とを具備することを特徴とする着信音作成装置。
【請求項２】
着信音を構成する着信音データを格納する記憶手段と、
所定の音域にわたって音階ごとに１つずつ対応付けられた複数のキーと、
これらのキーのうち所望の音階に対応するキーを所定時間以上押下すると作成中の着信音データの中で同一音階の周波数についてのデータが前記記憶手段に未格納の時にはその音階の１オクターブ単位で異なる複数の周波数のうちの初期設定用に予め定められたオクターブの周波数を選択し、作成中の着信音データの中で同一音階の周波数についてのデータが前記記憶手段に格納されているときにはこれら格納されている同一音階の周波数のうちの直前に前記記憶手段に記憶されている周波数と同一の周波数を選択し、前記所望の音階に対応するキーが前記所定時間未満押下された場合には選択されたキーに対応する音階でそのキーが前記所定時間以上押下された場合に選択される周波数と１オクターブ単位で異なる複数の周波数を予め定めた順序で前記所定時間未満押下されるたびに１つずつサイクリックに選択する周波数選択手段と、
この周波数選択手段によって選択された周波数が所望の周波数であるときこれを確定させる周波数確定手段と、
この周波数確定手段によって順次確定させた周波数とそれに対するキーの押下された時間に対応する時間を表わした着信音データを前記記憶手段に格納する着信音データ格納手段と、
前記周波数選択手段がキーを前記所定時間以上押下するたびにその選択する周波数の音をその押下に対応する時間だけ出力する音出力手段
とを具備することを特徴とする着信音作成装置。
【請求項３】
前記周波数選択手段は予め定めた周波数の範囲内で１オクターブずつ音階をサイクリックに選択することを特徴とする請求項１または請求項２記載の着信音作成装置。
【請求項４】
前記周波数選択手段は前記所望の音階に対応するキーが前記所定時間未満の間だけ押下された場合には、前記記憶手段に記憶されている作成中の着信音データの中で同一音階を表わす異なった周波数のデータが２種類以上存在するときにはこれらのうちで記憶手段に最も多く記憶された周波数の方のデータを先に選択することを特徴とする請求項２記載の着信音作成装置。
【発明の詳細な説明】
【０００１】
【発明の属する技術分野】
本発明は携帯電話機等の無線装置に着信があったときこれを知らせる着信音を作成するための着信音作成装置に関する。
【０００２】
【従来の技術】
携帯電話機やＰＨＳ（Prsonal Handyphone System）が日常的に多くの人によって使用されている。また、携帯型のコンピュータの方もますます高機能化と小型化が進展している。このような無線装置が複数の人が集まる場所で使用されると、電話やメール等の着信を知らせる音が予め定められたものだけである場合、着信音が発生したときにそれが自分の無線装置から出力されるものか他人の無線装置から出力されるものかの判別が困難なことが多い。そこで特開平９−３０７６０７号公報等には着信音のメロディやリズムを独自に設定できるようにして、それぞれの所有者が自分の携帯電話機の着信音を選択することができるようにする提案が行われている。また、自分独自の着信音を作成する提案も各種行われている。
【０００３】
図７はこのような従来の携帯電話機の要部を示したものである。特許２９４４４９３号に開示されたこの技術では、携帯電話機の制御部１１に音階を記憶するメモリ１２と、各種操作を行う操作部１３と、可聴周波数を発生させる可聴周波数発生部１４と、音に関する信号処理を行う信号処理部１５と、送信部１６および受信部１７が接続されている。操作部１３は、音階等の入力を行うキー入力部２１と、操作内容を表示する表示部２２を備えている。信号処理部１５は音を出力するサウンダ２３とマイク２４およびレシーバ２５を備えている。送信部１６と受信部１７は共用器２６を介してアンテナ２７と接続されている。
【０００４】
この提案の携帯電話機では、着信があると、受信部１７が制御部１１にこれを通知する。制御部１１はこれに基づいてメモリ１２に格納されている着信音データを呼び出し、この着信音データを構成する時系列的な音階データを可聴周波数発生部１４に与えて着信音のメロディをサウンダ２３から出力するようにしている。
【０００５】
またこの携帯電話機は、独自の着信音を作成する着信音作成装置としての機能も有している。制御部１１、メモリ１２、操作部１３、可聴周波数発生部１４および信号処理部１５のサウンダ２３がこの装置を構成している。操作部１３の図示しない“０”から“９”の各キーは１つずつ順に周波数の高くなる９種類の可聴周波数に対応している。
【０００６】
図８はこのような９種類の可聴周波数に対応したキーデータと可聴周波数の関係を示したものである。前記した“０”キーｋ0は最も低い可聴周波数ｆ0に対応し、“９”キーｋ9は最も高い周波数に対応する。すなわち、この着信音作成装置では、“０”キーｋ0の可聴周波数ｆ0がたとえば２６１．６３Ｈｚ（ヘルツ）のドの音階に対応するとすると、“１”キーｋ1の可聴周波数ｆ1は２９３．６６Ｈｚのレの音階に対応する。以下同様にして“８”キーｋ8の可聴周波数ｆ8は可聴周波数ｆ0に対して１オクターブ（８度）高い５２３．２５Ｈｚのドの音階に対応し、“９”キーｋ9の可聴周波数ｆ9は可聴周波数ｆ1に対して１オクターブ高い５８７．３３Ｈｚのレの音階に対応することになる。
【０００７】
この着信音作成装置では、操作者がキー入力部２１の“０”キーｋ0〜“９”キーｋ9のいずれかを押すたびに、制御部１１は可聴周波数発生部１４を制御して対応する可聴周波数を発生させてサウンダ２３からその音を出力させるようにしている。“０”キーｋ0〜“９”キーｋ9の各キーを押す時間だけその可聴周波数が出力され、その音を確定させるための図示しないキーが押されると、その音階および押下時間がメモリ１２に記憶される。このようにして順次音階を選択していくことで、着信音のメロディを作成することができる。このような着信音のメロディを作成する過程で、音階の種類や音符等の必要な情報が表示部２２に表示される。
【０００８】
着信音作成装置で着信音のメロディを全部自分で作成する場合を説明したが、メモリ１２に受信部１７を介して所定のサイトから着信音のメロディを格納し、これを呼び出して編曲することも可能である。このような技術は、たとえば特開平１１−１０３３３２号公報に開示されている。
【０００９】
【発明が解決しようとする課題】
図７に示した着信音作成装置では、“０”キーｋ0〜“９”キーｋ9の各キーを選択的に押下することで、サウンダ２３からそれに対応した周波数の音を出力することができる。しかしながら、この場合、操作部１３に用意されている音階設定用のキーは“０”キーｋ0〜“９”キーｋ9の全部で１０個となっている。したがって、全部で１０度の音階を設定することができるだけであり、作成するメロディの音域が狭いという問題があった。
【００１０】
そこで着信音作成装置によってはドの音からシの音まで１オクターブ分の音階に対応した７種類のキーを用意しておいて、オクターブを切り替えるには同一のキーを所望のオクターブになるまで必要な回数だけ押下するといった手法が採られている。このような手法をとることで、音域を何オクターブまでも必要なだけ設定することができる。
【００１１】
ところがこのようにすると、たとえば“０”キーｋ0から“７”キーｋ7までの７つのキーのそれぞれの押下に対応させてサウンダ２３からそれの周波数を出力するようにした着信音作成装置では、音階を１オクターブ単位で切り替えるたびにそのために該当するキーが押されている間、前のオクターブの音階の音が出力されてしまうという問題があった。たとえば、操作者が比較的高い１０４６．５Ｈｚの周波数のドの音を出力させるために“０”キーｋ0を１回押したとき、１３０．８１Ｈｚの周波数のドの音がサウンダ２３から出力されたとすると、もう２回その“０”キーｋ0を押して２６１．６３Ｈｚと５２３．２５Ｈｚの周波数のドの音を次々と出力させ、その次にようやく所望の１０４６．５Ｈｚの周波数のドの音を出力させることになる。このような操作の際に、サウンダ２３からはそれぞれの周波数のドの音が出力されることになるので、これらの音が作成中のメロディに混入したような印象を与えてしまい、着信音の作成がスムーズに行えないという問題があった。
【００１２】
そこで着信音の作成に際してはサウンダ２３の出力を切って、表示部２２の表示のみを確認し、作成が終了してからサウンダ２３で実際の音を聞いてみるといった手法が一般化していた。もちろん、携帯電話機等のように音階に割り当てるキーの数が制限されるような装置以外の場合、たとえば音楽入力用のキーボード（鍵盤）を接続したコンピュータのような装置の場合にはそれぞれのオクターブの各音階に別々のキーを配置することができるのでこのような問題が発生しない。しかしながら着信音の作成や編集に常に満足できる入力環境の入力装置を使用することができるとは限らない。
【００１３】
そこで本発明の目的は、限られた個数のキーを使用して着信音を作成する場合に、着信音に直接関与しない音の出力を制限することのできる着信音作成装置を提供することにある。
【００１４】
【課題を解決するための手段】
請求項１記載の発明では、（イ）着信音を構成する着信音データを格納する記憶手段と、（ロ）所定の音域にわたって音階ごとに１つずつ対応付けられた複数のキーと、（ハ）これらのキーのうち所望の音階に対応するキーを所定時間以上押下すると作成中の着信音データが記憶手段に未格納の時にはその音階の１オクターブ単位で異なる複数の周波数のうちの初期設定用に予め定められたオクターブの周波数を選択し、作成中の着信音データが記憶手段に少なくとも一部格納されているときにはこれら格納されている着信音データを構成する各音の周波数のうちの直前に記憶手段に記憶されている音と同一オクターブに属する周波数帯域でその音階の周波数を選択し、前記した所望の音階に対応するキーが前記した所定時間未満押下された場合には選択されたキーに対応する音階でそのキーが前記した所定時間以上押下された場合に選択される周波数と１オクターブ単位で異なる複数の周波数を予め定めた順序で前記した所定時間未満押下されるたびに１つずつサイクリックに選択する周波数選択手段と、（ニ）この周波数選択手段によって選択された周波数が所望の周波数であるときこれを確定させる周波数確定手段と、（ホ）この周波数確定手段によって順次確定させた周波数とそれに対するキーの押下された時間に対応する時間を表わした着信音データを記憶手段に格納する着信音データ格納手段と、（へ）周波数選択手段がキーを前記した所定時間以上押下するたびにその選択する周波数の音をその押下に対応する時間だけ出力する音出力手段とを着信音作成装置に具備させる。
【００１７】
すなわち請求項１記載の発明では、音階に対応するキーを押下すると、これが所定時間以上押下された場合にはその音階がどのオクターブに対応するかを設定するために作成中の着信音データが記憶手段に未格納であるかどうかをチェックして、未格納の場合には初期設定用の周波数（デフォルト値）を選択するようにしている。また、いずれかの音階が着信音データとして記憶手段に少なくとも一部格納されている状態ではこれらの周波数のうちの直前に記憶手段に記憶されている音と同一オクターブに属する周波数帯域でその音階の周波数を選択するようにしている。このため、周波数をオクターブ単位で変更しないでよい確率が高い。キーが所定時間以上押下された場合には、選択した周波数の音がその押下に対応する時間だけ出力される。したがって、所望の周波数の音階を所望の時間だけ選択して着信音データを構成するデータとして記憶手段に格納する処理を行うことができる。これに対して、そのキーが所定時間に満たない時間押されたような場合には、押される回数に応じてオクターブをサイクリックに変更するようにしている。したがって、操作者は１オクターブ単位でその音階の周波数を変更することができる。しかもこの変更のために該当するキーを押下してもそのたびにその音階の異なった周波数の音が出力されることはない。
【００１８】
請求項２記載の発明では、（イ）着信音を構成する着信音データを格納する記憶手段と、（ロ）所定の音域にわたって音階ごとに１つずつ対応付けられた複数のキーと、（ハ）これらのキーのうち所望の音階に対応するキーを所定時間以上押下すると作成中の着信音データの中で同一音階の周波数についてのデータが記憶手段に未格納の時にはその音階の１オクターブ単位で異なる複数の周波数のうちの初期設定用に予め定められたオクターブの周波数を選択し、作成中の着信音データの中で同一音階の周波数についてのデータが記憶手段に格納されているときにはこれら格納されている同一音階の周波数のうちの直前に記憶手段に記憶されている周波数と同一の周波数を選択し、前記した所望の音階に対応するキーが前記した所定時間未満押下された場合には選択されたキーに対応する音階でそのキーが前記した所定時間以上押下された場合に選択される周波数と１オクターブ単位で異なる複数の周波数を予め定めた順序で前記した所定時間未満押下されるたびに１つずつサイクリックに選択する周波数選択手段と、（ニ）この周波数選択手段によって選択された周波数が所望の周波数であるときこれを確定させる周波数確定手段と、（ホ）この周波数確定手段によって順次確定させた周波数とそれに対するキーの押下された時間に対応する時間を表わした着信音データを記憶手段に格納する着信音データ格納手段と、（へ）周波数選択手段がキーを前記した所定時間以上押下するたびにその選択する周波数の音をその押下に対応する時間だけ出力する音出力手段とを着信音作成装置に具備させる。
【００１９】
すなわち請求項２記載の発明では、音階に対応するキーを押下すると、これが所定時間以上押下された場合にはその音階がどのオクターブに対応するかを設定するために、作成中の着信音データの中で同一音階の周波数についてのデータが格納されているかどうかをチェックして、未格納の場合には初期設定用の周波数（デフォルト値）を選択するようにしている。また、作成中の着信音データの中で同一音階の周波数についてのデータが格納されている状態ではこれらの周波数のうちの直前に記憶手段に記憶されている周波数と同一の周波数を選択するようにしている。このため、周波数をオクターブ単位で変更しないでよい確率が高い。キーが所定時間以上押下された場合には、選択した周波数の音がその押下に対応する時間だけ出力される。したがって、所望の周波数の音階を所望の時間だけ選択して着信音データを構成するデータとして記憶手段に格納する処理を行うことができる。これに対して、そのキーが所定時間に満たない時間押されたような場合には、押される回数に応じてオクターブをサイクリックに変更するようにしている。したがって、操作者は１オクターブ単位でその音階の周波数を変更することができる。しかもこの変更のために該当するキーを押下してもそのたびにその音階の異なった周波数の音が出力されることはない。
【００２６】
【発明の実施の形態】
【００２７】
【実施例】
以下実施例につき本発明を詳細に説明する。
【００２８】
図１は本発明の一実施例における着信音作成装置の構成の概要を表わしたものである。この着信音作成装置５１はたとえば携帯電話機に使用されるものである。着信音作成装置５１は装置全体を制御する制御部５２を備えている。制御部５２はＣＰＵ（中央処理装置）５３と、制御プログラムを格納したＲＯＭ（リード・オンリ・メモリ）５４と、各種のデータを一時的に格納する揮発性のメモリとしてのＲＡＭ（ランダム・アクセス・メモリ）５５を備えている。
【００２９】
この制御部５２は、キー入力部５６と表示部５７を備えた操作部５８と、各音階の音を出力する可聴周波数発生部５９と、可聴周波数発生部５９の出力する音信号６１を増幅する増幅回路６２と、着信音データを格納する不揮発性のメモリ６３および時間の測定を行う計時回路６４を接続している。増幅回路６２にはサウンダ６５が接続されている。
【００３０】
図２は、キー入力部の要部を示したものである。キー入力部５６には多数のキーが配置されているが、本実施例ではこのうちの９個のキー“１”キーｋ1〜“９”キーｋ9のうちの“１”キーｋ1にドの音階を割り当て、“２”キーｋ2にレの音階を割り当てている。以下、キーの数値が１つずつ多くなるたびに音階を１つ（１度）ずつ高い方に割り当てている。“１”キーｋ1から“７”キーｋ7までで、ドからシまでの１オクターブ分の音階が割り当てられる。“８”キーｋ8は選択した音階を確定させるためのキーである。“９”キーｋ9は選択した音階を取り消すためのキーである。
【００３１】
なお、各音階等はこれらのキーｋ1〜ｋ9以外のキーに割り当てられてよいことは当然である。また、音階を確定させるための“８”キーｋ8を押下することなく、音階を次々と確定させるモードに設定することもできる。これは音階のための各キーｋ1〜ｋ7を順に押していくだけで、それ以上煩わしい操作を行うことなく着信音を作成する場合に有効である。この後者の場合には修正作業を必要に応じて行うことになる。
【００３２】
図３は、本実施例の着信音作成装置の制御の流れの概要を表わしたものである。図１に示した“１”キーｋ1から“７”キーｋ7を音階キーと呼ぶことにすると、図１に示したＣＰＵ５３は携帯電話機が着信音作成モードに設定されている状態で音階キーの押下の有無を監視している。音階キーが押下されると（ステップＳ７１：Ｙ）、これが比較的短い時間ｔ1以上の長さで押下されているかどうかを監視する（ステップＳ７２）。本実施例ではたとえば実際の着信音の２倍の時間長で個々の音階の設定を行うものとし、音階キーが押された時間が計時回路６４で測定されてその時間の半分の長さの時間がその音階の周波数の音が出力される時間としてメモリ６３に設定される。このときそれぞれの音階の表わす最短時間よりも僅かに短い時間として時間ｔ1が設定される。そして、この時間ｔ1以内の時間だけ音階キーが押された場合には（Ｎ）、音階の設定ではなくオクターブの変更操作が行われたものと解釈される。そして、所定の論理に基づいてその音階について１オクターブの切り替えが行われることになる（ステップＳ７３）。
【００３３】
本実施例では、最初に１回押下されたときにはデフォルト値として設定された音階よりも１オクターブ高い音階への切り替えが行われ、連続して２回目が押されたときにはデフォルト値として設定された音階よりも１オクターブ低い音階への切り替えが行われる。更にもう１回その音階キーが時間ｔ1よりも短い時間で押された場合にはデフォルト値として設定された音階に戻る。以後、更にその音階キーが時間ｔ1よりも短い時間で押され続けた場合には、サイクリックにこの動作が繰り返される。３オクターブよりも広い範囲でオクターブの切り替えを行うことは可能であるが、本実施例では最大３オクターブの範囲内で着信音のメロディが作成されるという前提でオクターブの切り替え操作を容易化している。
【００３４】
なお、本実施例では実際の着信音の２倍の時間長で個々の音階の設定を行うことにしているが、これよりも長く時間軸を引き伸ばしてもよいし、等倍としてもよい。
【００３５】
一方、所定の音階キーが時間ｔ1以上の長さで押下された場合には（ステップＳ７２：Ｙ）、その音階の周波数を符号化等の表示上の工夫をして、あるいは「高いド」とか「標準のド」というような表示で表示部５７に表示すると共に、可聴周波数発生部５９の出力したその周波数の音階をサウンダ６５で出力する（ステップＳ７４）。サウンダ６５の出力は操作者がその音階キーを押下している間、継続する（ステップＳ７５：Ｙ）。
【００３６】
計時回路６４はこの押下時間を計時している。そしてその音階キーが押下されなくなると（ステップＳ７５：Ｎ）、その周波数の音階と押下時間についてのデータをＲＡＭ５５に一時的に格納する（ステップＳ７６）。そしてこの状態で操作者が“８”キーｋ8を押下して現在の音階の入力を確定させると（ステップＳ７７：Ｙ）、ＲＡＭ５５に一時的に格納したこのデータを着信音データの一部としてメモリ６３の先に格納したデータの次の番地に格納する（ステップＳ７８）。このデータが今回作成する着信音データの最初のデータである場合にはその最初の番地に格納することになる。“８”キーｋ8を押下することなく“９”キーｋ9が押された場合には（ステップＳ７９：Ｙ）、入力した音階やその音階の設定時間が取り消されたことになる。そこでＲＡＭ５５に格納されたデータはメモリ６３に移されることはなく、再び音階キーの入力を待機する状態となる（リターン）。
【００３７】
図４は、ステップＳ７４の処理のうちの音階の選択の制御を具体的に表わしたものである。操作者が音階キーを時間ｔ1以上の時間で押下した場合、図１に示したＣＰＵ５３はメモリ６３に着信音データが未格納であるかどうかをチェックする（ステップＳ９１）。そして、未格納であれば（Ｙ）予めデフォルト値として設定されていたオクターブでの音階キーによって選択された音階（その周波数帯域での音階）を選択する（ステップＳ９２）。
【００３８】
これに対して、音階キーが押された時点でメモリ６３に着信音データが少なくとも一部格納済みである場合には（ステップＳ９１：Ｎ）、メモリ６３にすでに格納されている作成中の着信音データの各音階の周波数の平均値に近い周波数帯域での音階キーによって選択された音階をまず選択する（ステップＳ９３）。これは、操作者が高い音に比較的偏ったメロディを作成しようとしているのか低い音に比較的偏ったメロディを作成しようとしているのかをメモリ６３に格納されている音の周波数の平均から推測して、その近くの周波数帯域での音階をまず選択することで、選択操作の効率化を図る主旨である。
【００３９】
このような選択操作が違っているような場合、操作者は表示部５７で確認することもできるしサウンダ６３の出力する音で判断することもできる。この場合には取り消しのために“９”キーｋ9を押して、必要な回数だけその音階キーを時間ｔ1未満の時間で押下した後に、その音階キーを所望の時間押下すればよい。もちろん、このような取り消し操作は、７つの音階キーが常に同一のオクターブの音階に初期設定されている場合に比べると遥かに少なくなる。
【００４０】
第１の変形例
【００４１】
図５は、図４に示したステップＳ７４の処理の具体化の第１の変形例を示したものである。図４と同一部分には同一のステップ番号を付してこれらの説明を適宜省略する。この第１の変形例で、音階キーが押された時点でメモリ６３に着信音データが少なくとも一部格納済みである場合には（ステップＳ９１：Ｎ）、メモリ６３にすでに格納されている作成中の着信音データの各音階の中で直前（あるいは最新）に格納された音階の周波数に近い周波数のその音階を選択する（ステップＳ９３Ａ）。
【００４２】
たとえば直前に格納された音階が、周波数１３０．８１Ｈｚ（ドの音階）から周波数２４６．９４Ｈｚ（シの音階）のオクターブにおける周波数１６４．８１Ｈｚのミであるとして、“４”キーｋ4が押されて音階ファが指定されているときには、同一オクターブの周波数１７４．６１Ｈｚのファが最初に選択され、これよりも１オクターブ高い３４９．２３Ｈｚあるいは更に１オクターブ高い６９８．４６Ｈｚの音階ファがこの段階では選択されない。これは２つの隣接する音階が大きく周波数の異なる場合よりも１オクターブの範囲内で変動する場合が多いという経験則に基づいて、選択操作の効率化を図る主旨である。
【００４３】
第２の変形例
【００４４】
図６は、図４に示したステップＳ７４の処理の具体化の第２の変形例を示したものである。図４と同一部分には同一のステップ番号を付している。この第１の変形例で、音階キーが押された時点でメモリ６３にその音階と同一の着信音データが未格納であるかどうかを判別する（ステップＳ９１Ａ）。たとえば“４”キーｋ4が押されて音階ファが指定されたときには、メモリ６３にオクターブの違いを問わず、音階ファのデータが格納されているかどうかをチェックする。格納されていない場合には（Ｙ）、予めデフォルト値として設定されていたオクターブでの音階キーによって選択された音階（この場合には音階ファ）を選択する（ステップＳ９２）。
【００４５】
これに対して、その音階と同一の着信音データがメモリ６３に格納されている場合には（ステップＳ９１Ａ：Ｎ）、メモリ６３に格納されているその音階の最近の周波数と同一の周波数の音階を選択する（ステップＳ９３Ｂ）。音の高さが大きく変動するメロディの場合には違う結果を招く場合もあるが、同一の音階の音が複数回出現する場合、これらが１オクターブ以上異なって出現する可能性よりも同じ周波数の音階として出現する可能性の方が高いという経験則に基づいて、選択操作の効率化を図る主旨である。
【００４６】
このような第２の変形例と異なり、同一音階のデータがメモリ６４に複数格納されているときにはこれらのうちの最も多い周波数の音階を選択するように制御部（図１の制御部５２）が制御を行うことも可能である。
【００４７】
なお実施例では単調な周波数を前提に説明したが、可聴周波数発生部５９の出力する音は各種の楽器の音のように各種の音源を含む音であっても良い。
【００４８】
【発明の効果】
以上説明したように請求項１〜請求項４記載の発明によれば、同一音階の異なる周波数への変更を、音階を指定するキーの所定時間未満の押下によって行うことにしたので、操作が単純でわかりやすい。また該当するキーを所定時間以上押下した場合にそれに対応する音が出力されるので、１オクターブ単位で周波数の切り替えを行っている間はそれぞれの周波数の音が出力されることはなく、着信音のメロディを作成しやすい。
【００４９】
更に請求項１または請求項２記載の発明では、音階を指定するキーを最初に押してまだその着信音についてのデータが記憶手段に記憶されていない段階では、予め定めた初期設定用の周波数を選択させることにしたので、たとえば１番高い周波数あるいは１番低い周波数から順に選択させる場合と比べて一度で所望の周波数の音階が選択される可能性が高い。
【００５０】
また、請求項３および請求項４記載の発明では記憶手段に作成中の着信音についてのデータが記憶されている場合には、これらのデータを使用してそれぞれの論理で操作者の指定した音階に対応する周波数として最も確からしい周波数を最初に選択するようにしたので、着信音の作成時のキー操作の回数を減少させ効率的な操作を可能にするという利点がある。
【図面の簡単な説明】
【図１】本発明の一実施例における着信音作成装置の構成の概要を表わしたブロック図である。
【図２】本実施例におけるキー入力部の要部を示した平面図である。
【図３】本実施例の着信音作成装置の制御の流れの概要を表わした流れ図である。
【図４】本実施例でステップＳ７４の処理のうちの音階の選択の制御を具体的に表わした流れ図である。
【図５】図４に示したステップＳ７４の処理の具体化の第１の変形例を示した流れ図である。
【図６】図４に示したステップＳ７４の処理の具体化の第２の変形例を示した流れ図である。
【図７】従来提案された携帯電話機の要部を示したブロック図である。
【図８】図７に示した提案における９種類の可聴周波数に対応したキーデータと可聴周波数の関係を示した説明図である。
【符号の説明】
５１  着信音作成装置
５２  制御部
５３  ＣＰＵ（中央処理装置）
５４  ＲＯＭ（リード・オンリ・メモリ）
５６  キー入力部
５９  可聴周波数発生部
６３  メモリ
６４  計時回路
６５  サウンダ
ｋ1〜ｋ7  音階キー
【図１】
0003950623.tif 000002
【図２】
0003950623.tif 000003
【図３】
0003950623.tif 000004
【図４】
0003950623.tif 000005
【図５】
0003950623.tif 000006
【図６】
0003950623.tif 000007
【図７】
0003950623.tif 000008
【図８】
0003950623.tif 000009